(57)【特許請求の範囲】
【請求項１】
略長矩形の芯材の表裏両面に繊維強化プラスチック製の薄板材を接着固定してなる複数のスロープ体をその短辺方向に連接して構成され、該スロープ体の長辺方向を走行方向とするスロープ装置であって、
上記芯材が、
紙材または樹脂含浸紙材からなる隔壁によって区画された複数のセルを備えるとともに該各セルが高さ方向の両端に開口した厚板状の第１ハニカムコアと、
上記第１ハニカムコアの左右両側縁にそれぞれ配置される第２ハニカムコアであって、樹脂材からなる隔壁によって区画された複数のセルを備えるとともに該各セルの高さ方向の両端には薄板状の樹脂板が融着または接着により固着された第２ハニカムコアと、
上記第１ハニカムコアと第２ハニカムコアの両端面を閉塞するように配置される樹脂製またはアルミ製の横設材を備えて構成されたことを特徴とするスロープ装置。
【請求項２】
略長矩形の芯材の表裏両面に繊維強化プラスチック製の薄板材を接着固定してなる複数のスロープ体をその短辺方向に連接して構成され、該スロープ体の長辺方向を走行方向とするスロープ装置であって、
上記芯材が、
紙材または樹脂含浸紙材からなる隔壁によって区画された複数のセルを備えるとともに該各セルが高さ方向の両端に開口した厚板状の第１ハニカムコアと、
上記第１ハニカムコアの左右両側縁にそれぞれ配置される第２ハニカムコアであって、樹脂材からなる隔壁によって区画された複数のセルを備えるとともに該各セルの高さ方向の両端には薄板状の樹脂板が融着または接着により固着された第２ハニカムコアと、
上記第２ハニカムコアと同一構造を有し上記第１ハニカムコアと第２ハニカムコアの両端面をそれぞれ閉塞するように配置される第３ハニカムコアと第４ハニカムコアを備えて構成されたことを特徴とするスロープ装置。
【請求項３】
請求項１において、
上記横設材には、先端側に向かうに伴って厚さが漸減するアルミ製または硬質樹脂製の端部材が連結されていることを特徴とするスロープ装置。
【請求項４】
請求項１または２において、
上記スロープ体の長辺側の側縁には、アルミ製または硬質樹脂製の側枠体が装着されていることを特徴とするスロープ装置。
【発明の詳細な説明】
【技術分野】
【０００１】
本願発明は、段差部に掛け渡して車椅子とか人の通行の便に供するスロープ装置であって、特に携行し得るようにコンパクトに構成されたスロープ装置に関するものである。
【背景技術】
【０００２】
近年の高福祉社会への進展を背景に、公共施設等では身障者とか高齢者等が車椅子を用いて移動する場合に、スムーズで且つ安全な移動を実現すべく各種のバリアフリー対策が講じられている。
【０００３】
しかし、このようなバリアフリー対策は、比較的規模の大きい公共施設等が先行し、比較的規模の小さい公共施設とか民間施設、特に一般家庭においては未だ十分でなく、例えば、車椅子での移動が困難な段差部も多く存在する。このような状況から、例えば、段差部での車椅子の安全な移動等を可能とする福祉用具として、段差部に掛け渡して使用されるスロープ装置が数多く提案されている（例えば、特許文献１~３参照）。
【０００４】
特許文献１には、複数の繊維強化プラスチック製板を蝶番で連結して構成される基本的な携行式のスロープ装置が示されており、特にこの中では、上記繊維強化プラスチック製板の踏面の滑り対策に関する技術とか上記蝶番の構造に関する提案がなされている。
【０００５】
引用文献２には、上掲特許に示される如き基本的な携行式のスロープ装置を前提とし、このスロープ装置を構成する少なくとも２枚の板部材の構造に関する技術、即ち、この板部材を、硬質材料からなる薄板状の表裏二枚の硬質薄板材と、これら表裏二枚の硬質薄板材の間に介在される軟質の厚板材で構成する技術が提案されている。
【０００６】
特許文献３には、複数の繊維強化プラスチック製板を蝶番で連結して構成されるスロープ装置において、上記維強化プラスチック製板の側縁部に、該維強化プラスチック製板の表面（踏面）より上方へ延出する脱輪防止壁を設けたものが開示されている。
【先行技術文献】
【特許文献】
【０００７】
【特許文献１】特開２００２−９７７６８号公報
【特許文献２】実用新案登録第３１７１６７８号公報
【特許文献３】特開２００３−２３０６００号公報
【発明の概要】
【発明が解決しようとする課題】
【０００８】
ところで、携行式のスロープ装置においては、車椅子等の安全な移動を確保するに十分な強度性能と安全性能、及び軽量化に代表される可搬性能が重要視されるが、上掲の各特許文献に示されるスロープ装置は、これら各性能等の何れかが偏重され、これら各性能等の並立という面において改善の余地がある。
【０００９】
そこで本願発明は、携行式のスロープ装置において、強度性能と安全性能、及び可搬性能の並立を実現することを目的としてなされたものである。
【課題を解決するための手段】
【００１０】
本願発明ではかかる課題を解決するための具体的手段として次のような構成を採用している。
【００１１】
本願の第１の発明では、略長矩形の芯材の表裏両面に繊維強化プラスチック製の薄板材を接着固定してなる複数のスロープ体をその短辺方向に連接して構成され、該スロープ体の長辺方向を走行方向とするスロープ装置において、上記芯材を、紙材または樹脂含浸紙材からなる隔壁によって区画された複数のセルを備えるとともに該各セルが高さ方向の両端に開口した厚板状の第１ハニカムコアと、上記第１ハニカムコアの左右両側縁にそれぞれ配置される第２ハニカムコアであって、樹脂材からなる隔壁によって区画された複数のセルを備えるとともに該各セルの高さ方向の両端には薄板状の樹脂板が融着または接着により固着された第２ハニカムコアと、上記第１ハニカムコアと第２ハニカムコアの両端面を閉塞するように配置される樹脂製またはアルミ製の横設材を備えて構成されたことを特徴としている。
【００１２】
本願の第２の発明では、略長矩形の芯材の表裏両面に繊維強化プラスチック製の薄板材を接着固定してなる複数のスロープ体をその短辺方向に連接して構成され、該スロープ体の長辺方向を走行方向とするスロープ装置において、上記芯材が、紙材または樹脂含浸紙材からなる隔壁によって区画された複数のセルを備えるとともに該各セルが高さ方向の両端に開口した厚板状の第１ハニカムコアと、上記第１ハニカムコアの左右両側縁にそれぞれ配置される第２ハニカムコアであって、樹脂材からなる隔壁によって区画された複数のセルを備えるとともに該各セルの高さ方向の両端には薄板状の樹脂板が融着または接着により固着された第２ハニカムコアと、上記第２ハニカムコアと同一構造を有し上記第１ハニカムコアと第２ハニカムコアの両端面をそれぞれ閉塞するように配置される第３ハニカムコアと第４ハニカムコアを備えて構成されたことを特徴としている。
【００１３】
本願の第３の発明では、上記第１の発明において、上記横設材に、先端側に向かうに伴って厚さが漸減するアルミ製または硬質樹脂製の端部材を連結したことを特徴としている。
【００１４】
本願の第４の発明では、上記第１または第２の発明において、上記スロープ体の長辺側の側縁に、アルミ製または硬質樹脂製の側枠体を装着したことを特徴としている。
【発明の効果】
【００１５】
（ａ）本願の第１の発明に係るスロープ装置では、該スロープ装置の構成主体たるスロープ体を、紙材または樹脂含浸紙材からなる隔壁によって区画された複数のセルを備えるとともに該各セルが高さ方向の両端に開口した厚板状の第１ハニカムコアと、上記第１ハニカムコアの左右両側縁にそれぞれ配置される第２ハニカムコアであって、樹脂材からなる隔壁によって区画された複数のセルを備えるとともに該各セルの高さ方向の両端には薄板状の樹脂板が融着または接着により固着された第２ハニカムコアと、上記第１ハニカムコアと第２ハニカムコアの両端面を閉塞するように配置される樹脂製またはアルミ製の横設材を備えてなる芯材の表裏両面に繊維強化プラスチック製の薄板材をそれぞれ接着固定して構成している。
【００１６】
したがって、このスロープ装置によれば、以下のような効果が得られる。  
（ａ−１）上記第１ハニカムコアと第２ハニカムコア及び横設材からなる上記芯材を、上下一対の薄板材によって接着固定してこれらを一体化して上記スロープ体を構成したことによる形状効果として、該スロープ体の剛性の向上、及び強度性能、特に曲げ強度の向上が図られる。
【００１７】
（ａ−２）上記スロープ体は、その外周縁を構成する上記第２ハニカムコア及び上記横設材が共に耐水性の高い素材で構成されており、しかも上記第２ハニカムコアは、各セルの高さ方向の両端に薄板状の樹脂板が融着または接着により固着された構成であって、この各樹脂板の外面に上記薄板材が面接触状態で接着固定されていることから、例えば、上記各セルの高さ方向の両端に直接薄板材を線接触状態で接着する場合に比して、該第２ハニカムコアと上記薄板材との接着強度及びシール性が極めて高いものとなっている。この結果、これら第２ハニカムコアと横設材によってその周縁が囲まれた状態にある上記第１ハニカムコアは、これが紙材または樹脂含浸紙材で構成されていたとしても、その周囲からの吸湿による強度低下が確実に防止され、該第１ハニカムコアが持つ強度と軽量性という素材特性が維持される。
【００１８】
（ａ−３）上記第２ハニカムコアと上記薄板材との接着強度及びシール性が極めて高いことから、上記第１ハニカムコアの吸湿防止という目的を達成できる範囲内で、上記第１ハニカムコアより重く且つ高価な上記第２ハニカムコアの幅寸法を減少させて、上記スロープ体の軽量化と低コスト化を図ることができる。
【００１９】
（ａ−４）上記（ａ−１）〜（ａ−３）の相乗効果として、強度性能が高く、耐水性及び耐久性に優れ、しかも軽量で且つ安価なスロープ装置を提供することができる。
【００２０】
（ｂ）本願の第２の発明に係るスロープ装置では、該スロープ装置の構成主体たるスロープ体を、紙材または樹脂含浸紙材からなる隔壁によって区画された複数のセルを備えるとともに該各セルが高さ方向の両端に開口した厚板状の第１ハニカムコアと、上記第１ハニカムコアの左右両側縁にそれぞれ配置される第２ハニカムコアであって、樹脂材からなる隔壁によって区画された複数のセルを備えるとともに該各セルの高さ方向の両端には薄板状の樹脂板が融着または接着により固着された第２ハニカムコアと、上記第２ハニカムコアと同一構造を有し上記第１ハニカムコアと第２ハニカムコアの両端面をそれぞれ閉塞するように配置される第３ハニカムコアと第４ハニカムコアを備えてなる芯材の表裏両面に繊維強化プラスチック製の薄板材をそれぞれ接着固定して構成している。
【００２１】
したがって、このスロープ装置によれば、以下のような効果が得られる。  
（ｂ−１）上記第１ハニカムコアと第２ハニカムコアと第３ハニカムコア及び第４ハニカムコアからなる上記芯材を、上下一対の薄板材によって接着固定してこれらを一体化して上記スロープ体を構成したことによる形状効果として、該スロープ体の剛性の向上、及び強度性能、特に曲げ強度の向上が図られる。
【００２２】
（ｂ−２）上記スロープ体は、その外周縁を構成する上記第２〜第４ハニカムコアが共に耐水性の高い樹脂材で構成されており、しかもこれら第２〜第４ハニカムコアは、各セルの高さ方向の両端に薄板状の樹脂板が融着または接着により固着された構成であって、この各樹脂板の外面に上記薄板材が面接触状態で接着固定されていることから、例えば、上記各セルの高さ方向の両端に直接薄板材を線接触状態で接着する場合に比して、該第２〜第４ハニカムコアと上記薄板材との接着強度及びシール性が極めて高いものとなっている。この結果、これら第２〜第４ハニカムコアによってその周縁が囲まれた状態にある上記第１ハニカムコアは、これが紙材または樹脂含浸紙材で構成されていたとしても、その周囲からの吸湿による強度低下が確実に防止され、該第１ハニカムコアが持つ強度と軽量性という素材特性が維持される。
【００２３】
（ｂ−３）上記第２〜第４ハニカムコアと上記薄板材との接着強度及びシール性が極めて高いことから、上記第１ハニカムコアの吸湿防止という目的を達成できる範囲内で、上記第１ハニカムコアより重く且つ高価な上記第２〜第４ハニカムコアの幅寸法を減少させて、上記スロープ体の軽量化と低コスト化を図ることができる。
【００２４】
（ｂ−４）上記（ｂ−１）〜（ｂ−３）の相乗効果として、強度性能が高く、耐水性及び耐久性に優れ、しかも軽量で且つ安価なスロープ装置を提供することができる。
【００２５】
（ｃ）本願の第３の発明では、上記（ａ）に記載の効果に加えて以下のような特有の効果が得られる。即ち、この発明では、上記横設材に、先端側に向かうに伴って厚さが漸減するアルミ製または硬質樹脂製の端部材を連結したので、該端部材を通ってスロープ体側に車椅子等をスムーズに乗り降りさせることができ、乗降性能に優れたスロープ装置を提供できる。
【００２６】
（ｄ）本願の第４の発明では、上記（ａ）または（ｂ）に記載の効果に加えて以下のような特有の効果が得られる。即ち、この発明では、上記スロープ体の長辺側の側縁に、アルミ製または硬質樹脂製の側枠体を装着したので、該端部材の曲げ剛性によって上記スロープ体の曲げ強度が高められ、荷重の負荷時（車椅子等の移動時）における撓み変形がさらに抑制され、使用時の信頼性の高いスロープ装置を提供することができる。
【図面の簡単な説明】
【００２７】
【図１】本願発明の第１の実施の形態に係るスロープ装置の全体斜視図である。
【図２】図１に示したスロープ装置におけるスロープ体の第１の構成例を示す一部断面斜視図である。
【図３】図１に示したスロープ装置におけるスロープ体の第の構成例を示す一部断面斜視図である。
【図４】図１のＡ−Ａ拡大断面図である。
【図５】図１のＢ−Ｂ拡大断面図である。
【図６】本願発明の第２の実施の形態に係るスロープ装置の要部断面図であって、図５に対応するものであるである。
【図７】本願発明の第３の実施の形態に係るスロープ装置の要部断面図であって、図５に対応するものであるである。
【図８】本願発明の第４の実施の形態に係るスロープ装置の全体斜視図である。
【図９】上記スロープ装置の平面図である。
【図１０】図８のＣ−Ｃ拡大断面図である。
【図１１】図８のＤ−Ｄ拡大断面図である。
【図１２】図８に示した第１ハニカムコアの構造を示す一部破断拡大斜視図である。
【図１３】図８に示した第２ハニカムコアの構造を示す一部破断拡大斜視図である。
【図１４】本願発明の第５の実施の形態に係るスロープ装置の全体斜視図である。
【図１５】図１４のＥ−Ｅ拡大断面図である。
【図１６】図１４のＦ−Ｆ拡大断面図である。
【発明を実施するための形態】
【００２８】
以下、本願発明を好適な実施形態に基づいて具体的に説明する。
【００２９】
「第１の実施形態」
図１には、本願発明の第１の実施形態に係るスロープ装置Ｚを示している。このスロープ装置Ｚは、携行式のスロープ装置であって、略長矩形の一対のスロープ体１をその長辺同士を対向させた状態で並置し、且つその対向部分に取り付けたヒンジ体５によって相互に折曲可能に連結して構成される（図４参照）。
【００３０】
なお、この場合、図１及び図４に示すように、一方のスロープ体１と他方のスロープ体１の並置方向外側の側縁には次述の第１側枠体２が、並置方向内側の側縁には次述の第２側枠体３が、それぞれ嵌合固定されており、この一方のスロープ体１側の第２側枠体３の上面と他方のスロープ体１の第２側枠体３の上面との間に上記ヒンジ体５が取り付けられている。
【００３１】
また、上記第１側枠体２と上記第２側枠体３は共にアルミ成形品であって、図４に示すように、上記第１側枠体２は、上記スロープ体１の全長に跨る長さをもつ断面コ字状の枠体であって、その上面２ａには脱輪防止壁４が一体形成されている。一方、上記第２側枠体３は、断面コ字状に枠体であって、その上面３ａは平面され、ここに上記ヒンジ体５が取り付けられる。そして、一方のスロープ体１側に取り付けられる第１側枠体２と他方のスロープ体１に取り付けられる第１側枠体２、及び一方のスロープ体１側に取り付けられる第２側枠体３と他方のスロープ体１に取り付けられる第２側枠体３は、それぞれ反対勝手に形成されている。
【００３２】
さらに、上記第１側枠体２（及び第２側枠体３）は、図５に示すように、その両端部を除く中間部２Ａでは、その上面２ａと下面２ｂの間隔（及び上面３ａと下面３ｂの間隔）が一定に保持されるが、一端部２Ｂでは下方側に僅かに湾曲しながら上記間隔が漸減し、他端部２Ｃでは上方側に僅かに湾曲しながら上記間隔が漸減するようにその形状が設定されている。そして、後述のハニカムコア１０は、その厚さ寸法及び形状が上記第１側枠体２（及び第２側枠体３）の形状寸法に略合致するように成形される。なお、上記第１側枠体２の一端部２Ｂ側は上記スロープ装置Ｚの上段側設置部となり、他端部２Ｃ側は上記スロープ装置Ｚの下段側設置部となる。
【００３３】
ここで、上記スロープ体１の構造について詳述する。上記スロープ体１は、例えば、図２に示すように、隔壁によって区画された六角形のセル１１を隙間なく連設し且つ該セル１１を高さ方向の両端で開口させた厚板状のハニカムコア１０と、該ハニカムコア１０の表裏両面にそれぞれ接着固定された繊維強化プラスチック製の薄板材１２，１３からなる積層構造とか、図３に示すように、隔壁によって区画された円形のセル１１を隙間なく連設し且つ該セル１１が高さ方向の両端で開口した厚板状のハニカムコア１０と、該ハニカムコア１０の表裏両面にそれぞれ接着固定された繊維強化プラスチック製の薄板材１２，１３からなる積層構造とされる。
【００３４】
なお、このハニカムコア１０を構成するセル１１の形状は、上記の如き六角形とか円形に限定されるものではなく、例えば、三角形等の他の多角形とか、波形等、種々の形状を任意に選択できるものである。
【００３５】
また、上記ハニカムコア１０は、例えば、樹脂含浸紙材とか、樹脂材あるいはアルミ材の何れかによって、またこれら各資材を組み合わせて形成されるものであり、上記スロープ体１の要求強度とかコスト等を勘案して任意に選択できるものである。
【００３６】
さらに、上記ハニカムコア１０と上記各薄板材１２、１３とを接着固定する接着材は、特に限定されるものではなく、例えば、酢酸ビニルエマルジョン、水性ビニルウレタンなどの水性エマルジョン系、一般樹脂、合成ゴム、ウレタン樹脂などの溶剤系、ウレタン樹脂、エポキシ樹脂、ポリエステル系などのホットメルト接着剤等の無機溶剤樹脂系が挙げられるが、特に耐水性を重視する場合には上記溶剤系、ホットメルト接着剤等の無溶剤樹脂系のものが好ましい。
【００３７】
この実施形態における上記ハニカムコア１０は、図５に示すように、上記第１側枠体２及び第２側枠体３の形状に対応すべく、その中間部１０ａは厚板平板状に形成される一方、その一端部１０ｂ側は下方側に僅かに湾曲しながら厚さ（高さ）が漸減するように形成し、また他端部１０ｃ側は上方側に僅かに湾曲しながら厚さ（高さ）が漸減するように形成される。このような端部側形状を実現する手法として、この実施形態では厚板状のハニカムコア１０を用い、その両端部１０ｂ、１０ｃの上下両面に、例えば切削加工とか研削加工を施して上記形状に成形するようにしている。
【００３８】
このように成形されたハニカムコア１０の表裏両面に上記第１薄板材１２及び第２薄板材１３を接着固定することで、走行方向の中間部１ａが一様厚さの厚板状とされるとともに、その一端部１ｂ及び他端部１ｃがそれぞれ先端側に向かって高さが漸減する傾斜面状とされたスロープ体１が得られる。
【００３９】
このように形成された左右一対のスロープ体１には、それぞれその側縁に上記第１側枠体２及び第２側枠体３が取り付けられる。そして、これら一対のスロープ体１は、その第２側枠体３同士を近接対向させた状態で、該第２側枠体３間に跨って取り付けられるヒンジ体５によって相互に折曲自在に連結（図４参照）されることで、スロープ装置Ｚを構成する。
【００４０】
上記スロープ装置Ｚによれば、その主体部をなす上記スロープ体１が、厚板状のハニカムコア１０を芯材とし、このハニカムコア１０の表裏両面に繊維強化プラスチック製の薄板材１２，１３をそれぞれ接着固定した構成であるため、このハニカムコア１０と一対の第１薄板材１２，１３の一体化による形状効果として、該スロープ体１の剛性の向上、及び強度性能、特に曲げ強度の向上が図られる。また、このスロープ体１の芯材として軽量なハニカムコア１０を用いたことで該スロープ体１の軽量化も図られる。これらの相乗効果として、軽量で、しかも荷重の負荷時（車椅子等の移動時）における撓み変形が少なく使用時の信頼性の高い携帯用のスロープ装置Ｚを提供することができる。
【００４１】
また、上記スロープ体１の両側縁に側枠体２、３が取り付けられており、この側枠体２、３の曲げ剛性によって上記スロープ体１の曲げ強度が高められることから、上記スロープ装置Ｚの強度性能が高められ、使用時の信頼性がさらに向上することになる。
【００４２】
さらに、この実施形態のスロープ装置Ｚでは、上記ハニカムコア１０の両端部１０ｂ、１０ｃを、先端側に向かうに伴って厚さが漸減するように形成したので、何ら別部材を設けることなく上記ハニカムコア１０の加工という安価な手法によってスロープ装置の走行方向の両端部、即ち、車椅子等の乗り側と降り側の接地高さを低くして車椅子等の乗降性能を高めることができ、スロープ装置３０の低コスト化と高機能化の両立が図られる。
【００４３】
「第２の実施形態」
図６には、本願発明の第２の実施形態に係るスロープ装置Ｚの要部を示している。この実施形態のスロープ装置Ｚは、上記第１の実施形態のスロープ装置Ｚとその基本構造を同じとするものであって、これと異なる点は、上記ハニカムコア１０の端部１０ｂ、１０ｃの加工手法である。
【００４４】
即ち、上記第１の実施形態では、厚板状のハニカムコア１０の端部に切削あるいは研削加工を施すことで該端部の厚さを漸減させるようにしていたのに対して、この実施形態では図６に示すように、上記ハニカムコア１０の端部に圧潰加工を施すことで該端部の厚さを漸減させるようにしたものである。
【００４５】
このような圧潰加工による端部成形手法を採用すれば、切削あるいは研削加工による端部成形手法に比して加工が容易であることから、上記ハニカムコア１０の低コスト化、延いては上記スロープ装置Ｚの低コスト化が促進される。
【００４６】
上記以外の構成及び作用効果は上記第１の実施形態の場合と同様であり、その該当記載を援用することでここでの説明を省略する。
【００４７】
「第３の実施形態」
図７には、本願発明の第３の実施形態に係るスロープ装置Ｚの要部を示している。この実施形態のスロープ装置Ｚにおける上記スロープ体１は、上記第１及び第２の実施形態におけるスロープ体１とはその構成の一部を異にしている。
【００４８】
即ち、この実施形態のスロープ体１は、その芯材を、厚板状のハニカムコア１０と第１端部材２１と第２端部材２２の三者で構成している。
【００４９】
上記ハニカムコア１０は、上記スロープ体１の中間部１ａを構成するもので、一様厚さの厚板状とされる。上記第１端部材２１は、上記ハニカムコア１０の一端面１０ｆ側に設置されて上記スロープ装置Ｚの上段側設置部を構成するもので、アルミまたは硬質樹脂により一体成形されている。そして、この第１端部材２１は、その基端側においては上記ハニカムコア１０と略同一高さを有する一方、先端に向かうに伴って下方側へ僅かに湾曲しながら高さが漸減する形状を有している。また、上記第１側枠体２は、上記ハニカムコア１０の他端面１０ｒ側に設置されて上記スロープ装置Ｚの下段側設置部を構成するもので、アルミまたは硬質樹脂により一体成形されている。そして、この第２端部材２２は、その基端側においては上記ハニカムコア１０と略同一高さを有する一方、先端に向かうに伴って上方側へ僅かに湾曲しながら高さが漸減する形状を有している。
【００５０】
上記ハニカムコア１０と該ハニカムコア１０の前後両端にそれぞれ設置された上記第１端部材２１及び第２端部材２２の三者の表面側と裏面側に対して、上記第１薄板材１２及び第２薄板材１３が接着固定されることで、上記スロープ体１が得られる。
【００５１】
このように、上記スロープ体１の芯材を、厚板状のハニカムコア１０と、該ハニカムコア１０の長辺方向の両端部にそれぞれ設置された上記第１端部材２１と第２端部材２２で構成し、これら三者の表裏両面に対して上記薄板材１２，１３を接着固定したことで、スロープ装置Ｚの走行方向の両端部、即ち、車椅子等の乗り側と降り側の接地高さを低くすることができ、しかも該端部材１２，１３が高強度のアルミ製または硬質樹脂製であることから該端部材１２，１３の厚さを小さくして接地高さをより低くすることができ、この結果、乗降性能に優れたスロープ装置Ｚを提供できる。
【００５２】
上記以外の構成及び作用効果は上記第１及び第２の実施形態の場合と同様であり、これらの該当記載を援用することでここでの説明を省略する。
【００５３】
「第４の実施形態」
図８には、本願発明の第４の実施形態に係るスロープ装置Ｚを示している。このスロープ装置Ｚは、略長矩形の一対のスロープ体５１をその長辺同士を対向させた状態で並置し、且つその対向部分に取り付けたヒンジ体５４によって相互に折曲可能に連結して構成される（図１０参照）。
【００５４】
上記スロープ体５１は、図８〜図１０に示すように、次述する略長矩形厚板状の芯材６０の表裏両面に繊維強化プラスチック製の薄板材７１，７２を接着固定して構成される。
【００５５】
「芯材６０」
上記芯材６０は、略長矩形厚板状の第１ハニカムコア６１と、該第１ハニカムコア６１の左右両側に当接配置される左右一対の第２ハニカムコア６２と、該第１ハニカムコア６１と第２ハニカムコア６２の長手方向に両端面を閉塞するようにその外側から配置された前後一対の横設材６８を備えて構成され、全体として略長矩形厚板状の形態を呈している。
【００５６】
上記第１ハニカムコア６１は、図１２に示すように、紙材（好ましくは、クラフト紙）からなる隔壁によって区画された円形のセル６１ａを隙間なく多数連設して相互に接合するとともに、該各セル６１ａをその高さ方向の両端で開口させて構成される。そして、この第１ハニカムコア６１は、後述するように、その表面には上記第１薄板材７１が、裏面には第２薄板材７２が、それぞれ接着固定されることで高い剛性をもち、その厚さ方向からの外力に対して高い強度性能を発揮するものである。
【００５７】
上記第２ハニカムコア６２は、図１３に示すように、樹脂材からなる隔壁によって区画された複数のセル６５ａを隙間なく多数連設して相互に接合するとともに、該各セル６５ａをその高さ方向の両端で開口させてなる樹脂ハニカム体６５の表裏両面に薄板状の樹脂板６６，６７を融着または接着により固着して構成される。そして、この第２ハニカムコア６２は、後述するように、その表面（上記樹脂板６６の表面）には上記第１薄板材７１が、裏面（上記樹脂板６７の表面）には第２薄板材７２が、それぞれ接着固定されることで高い剛性をもち、その厚さ方向からの外力に対して高い強度性能を発揮する。
【００５８】
また、この場合、上記第２ハニカムコア６２の上記樹脂板６６及び樹脂板６７と、上記第１薄板材７１及び上記第２薄板材７２は、共に面接触状態で接着固定されることで、高い接着強度をもち高水準のシール性能を発揮する。なお、上記樹脂ハニカム体６５の表裏両面と上記樹脂板６６，６７は、上述のように、融着または接着により固着されることで、高い接着強度と高水準のシール性能を発揮する。
【００５９】
上記横設材６８は、樹脂製またはアルミ製の一体成型品であって、図１１に示すように、中空の厚板状形態を有している。この横設材６８は、図８、図９に示すように、上記第１ハニカムコア６１と第２ハニカムコア６２の端面に横設状態で配置され、その表裏両面に接着固定される上記第１薄板材７１及び第２薄板材７２によって該第１ハニカムコア６１及び第２ハニカムコア６２と一体化されることで上記スロープ体５１を構成する。また、この横設材６８は、後述する端部材５２あるいは端部材５３を取り付けるための繋ぎ材としても機能するものであり、そのため、その外端下部には嵌合受部８２が一体形成されており、この嵌合受部８２に後述する端部材５２あるいは端部材５３側に設けた嵌合体８１が嵌合連結される。
【００６０】
「スロープ体５１の形成」
上記スロープ体５１は、図８及び図９に示すように、上記第１ハニカムコア６１（図９において対角線Ｌ１で示す範囲を参照）の左右両側にこれと密接状態で上記第２ハニカムコア６２（図９において対角線Ｌ２で示す範囲を参照）を配置するとともに、該第１ハニカムコア６１と第２ハニカムコア６２の前後両端に上記横設材６８（図９において対角線Ｌ３で示す範囲を参照）をそれぞれ密着状態で配置して略長矩形厚板状の上記芯材６０を形成し、さらに、この芯材６０の表裏状態に上記第１薄板材７１及び第２薄板材７２を接着固定して一体化することで得られる。したがって、このスロープ体５１においては、上記第１ハニカムコア６１は、左右一対の上記第２ハニカムコア６２と上記横設材６８によって囲まれた状態となる。
【００６１】
さらに、上記スロープ体５１の両側縁には次述の第１側枠体５６と第２側枠体５７が取り付けられる。上記第１側枠体５６は、上記スロープ体５１の一側（一対のスロープ体５１をヒンジ体５４によって接合したとき、外側に位置する側縁）に取り付けられるものであって、図１０に示すように、上記スロープ体５１の側部に位置する上記第２ハニカムコア６２部分に対してその側方から嵌合される略コ形の断面形状を有するとともに、その上面側には上方へ突出する脱輪防止壁５８が一体的に設けられている。
【００６２】
上記第２側枠体５７は、上記スロープ体５１の他側（一対のスロープ体５１をヒンジ体５４によって接合したとき、内側に位置する側縁）に取り付けられるものであって、図１０に示すように、上記スロープ体５１の側部に位置する上記第２ハニカムコア６２部分に対してその側方から嵌合される略コ形の断面形状を有している。そして、この第２側枠体５７と他方のスロープ体５１に設けられる第２側枠体５７の間に上記ヒンジ体５４が設けられており、このヒンジ体５４の撓曲変形によって左右一対のスロープ体５１が、展開（図１０の実線図示状態）及び格納（図１０の鎖線図示状態）可能とされる。
【００６３】
上記端部材５２及び端部材５３は、上記スロープ体５１へのスムーズな乗り下りを実現するためのものであって、上記スロープ体５１の前後両端に連結される。この端部材５２と端部材５３は、同一構造であるため、これを図１１に示す端部材５２を例にとって説明する。この端部材５２は、樹脂製またはアルミ製の一体成型品であって、基端側から先端側に向かってその高さ（厚さ）が漸減する略クサビ状の断面形状をもち、その基端側下部には、上記横設材６８の嵌合受部８２に嵌合するＣ環状断面をもつ嵌合体８１が一体形成されている。また、上記嵌合受部８２の形成位置より上方側には、ストッパー面８３が形成されており、このストッパー面８３は上記横設材６８側に形成されたストッパー面８４に対応している。したがって、上記端部材５２は、これが上記スロープ体５１の面方向前方へ延出した位置（実線図示位置）では、上記嵌合体８１と嵌合受部８２が当接することで、上方からの荷重に対抗してその延出姿勢が保持される一方、下方への回動は許容される（鎖線図示位置）。
【００６４】
「スロープ装置の形成」
上述のように構成された一対のスロープ体５１（相互に反対勝手に形成される）を、上記第２側枠体５７が備えられた側部同士を対向させて配置し、これら両者間に跨って上記ヒンジ体５４を取り付けることでスロープ装置Ｚが得られる。
【００６５】
そして、このスロープ装置Ｚでは、上記左右一対のスロープ体５１を平板状に展開した形態において、これを例えば、玄関土間と玄関框部等の段差部に架け渡して車椅子等の通行に使用される。なお、スロープ装置Ｚの収納時には、上記一対のスロープ体５１を上記ヒンジ体５４部分から折り畳むことで、コンパクトな収納が可能となる。
【００６６】
「スロープ装置Ｚの作用効果等」
以上のように構成された上記スロープ装置Ｚにおいては、以下のような特有の作用効果が得られる。
【００６７】
上記スロープ装置Ｚにおいては、該スロープ装置Ｚの構成主体たるスロープ体５１を、紙材からなる隔壁によって区画された複数のセル５１ａを備えるとともに該各セル５１ａが高さ方向の両端に開口した厚板状の第１ハニカムコア６１と、上記第１ハニカムコア６１の左右両側縁にそれぞれ配置される第２ハニカムコア６２であって、樹脂材からなる隔壁によって区画された複数のセル６５ａを備えるとともに該各セル６５ａの高さ方向の両端には薄板状の樹脂板６６，６７が融着または接着により固着された第２ハニカムコア６２と、上記第１ハニカムコア６と第２ハニカムコア６２の両端面を閉塞するように配置される樹脂製またはアルミ製の横設材６８を備えてなる芯材６０の表裏両面に繊維強化プラスチック製の薄板材７１，７２をそれぞれ接着固定して構成している。
【００６８】
したがって、このスロープ装置Ｚによれば、上記第１ハニカムコア６１と第２ハニカムコア６２及び横設材６８からなる上記芯材６０を、上下一対の薄板材７１，７２によって接着固定してこれらを一体化してスロープ体５１を構成したことによる形状効果として、該スロープ体５１の剛性の向上、及び強度性能、特に曲げ強度の向上が図られ、延いては上記スロープ装置Ｚの高強度化が図られ、その使用上の信頼性が向上する。
【００６９】
また、上記スロープ体５１は、その外周縁を構成する上記第２ハニカムコア６２が樹脂材で構成され、上記横設材６８が樹脂材またはアルミ材で構成されており、何れも高い耐水性をもつものである。しかも、上記第２ハニカムコア６２は、各セル６５ａの高さ方向の両端に薄板状の樹脂板６６，６７が融着または接着により固着され、さらにこの各樹脂板６６，６７の外面に上記薄板１，７２が面接触状態で接着固定された構成であることから、そのシール性は極めて高いものとなる。
【００７０】
このように、上記第２ハニカムコア６２と上記薄板材７１，７２との接着強度及びシール性、及び上記横設材６８と上記第１薄板材７１，７２との接着強度及びシール性が極めて高いことから、これら第２ハニカムコア６２と横設材６８によってその周縁が囲まれた状態にある上記第１ハニカムコア６１は、これが紙材で構成されていたとしても、該第１ハニカムコア６１がその周囲からの吸湿によって強度低下を招来するということが確実に防止され、該第１ハニカムコア６１が持つ強度及び軽量性という素材特性が維持されることとなり、この結果、耐水性及び耐久性に優れた軽量のスロープ装置Ｚを安価に提供することができる。
【００７１】
また、上述のように、上記第２ハニカムコア６２と上記薄板材７１，７２との接着強度及びシール性が極めて高いことから、上記第１ハニカムコア６１の吸湿防止という目的を達成できる範囲内で、上記第１ハニカムコア６１よりも重さが重く且つ高価な上記第２ハニカムコア６２の幅寸法を減少させて、上記スロープ体５１の軽量化と低コスト化を図ることができ、延いては上記スロープ装置Ｚの軽量化と低コスト化がさらに促進される。
【００７２】
「第５の実施形態」
図１４には、本願発明の第５の実施形態に係るスロープ装置Ｚを示している。このスロープ装置Ｚは、略長矩形の一対のスロープ体５１をその長辺同士を対向させた状態で並置し、且つその対向部分に取り付けたヒンジ体５４によって相互に折曲可能に連結して構成される。
【００７３】
上記スロープ体５１は、図１４〜図１６に示すように、次述する略長矩形厚板状の芯材６０の表裏両面に繊維強化プラスチック製の薄板材７１，７２を接着固定して構成される。
【００７４】
「芯材６０」
上記芯材６０は、略長矩形厚板状の第１ハニカムコア６１と、該第１ハニカムコア６１の左右両側に当接配置される左右一対の第２ハニカムコア６２と、該第１ハニカムコア６１と第２ハニカムコア６２の長手方向の一端面を閉塞するようにその外側から配置された第３ハニカムコア６３と、他端面を閉塞するようにその外側から配置された第４ハニカムコア６４を備えて構成され、全体として略長矩形厚板状の形態を呈している。
【００７５】
上記第１ハニカムコア６１は、上記第４の実施形態における第１ハニカムコア６１と同様構造をもつものであって、図１２を参照して説明すると、該第１ハニカムコア６１は、紙材（好ましくは、クラフト紙）からなる隔壁によって区画された円形のセル６１ａを隙間なく多数連設して相互に接合するとともに、該各セル６１ａをその高さ方向の両端で開口させて構成される。そして、この第１ハニカムコア６１は、図１４に示すように、全体として略長矩形厚板状の外観形態を有している。また、この第１ハニカムコア６１は、後述するように、その表面には上記第１薄板材７１が、裏面には第２薄板材７２が、それぞれ接着固定されることで高い剛性をもち、その厚さ方向からの外力に対して高い強度性能を発揮するものである。
【００７６】
上記第２ハニカムコア６２は、上記第４の実施形態における第２ハニカムコア６２と同様構造をもつものであって、図１３を参照して説明すると、該第２ハニカムコア６２は、樹脂材からなる隔壁によって区画された複数のセル６５ａを隙間なく多数連設して相互に接合するとともに、該各セル６５ａをその高さ方向の両端で開口させてなる樹脂ハニカム体６５の表裏両面に薄板状の樹脂板６６，６７を融着または接着により固着して構成される。そして、この第２ハニカムコア６２は、図１４に示すように、全体として細長矩形厚板状の外観形態を有しており、後述のように上記第１ハニカムコア６１の左右両側部に当接状態で配置される。なお、この第２ハニカムコア６２は、後述するように、その表面（上記樹脂板６６の表面）には上記第１薄板材７１が、裏面（上記樹脂板６７の表面）には第２薄板材７２が、それぞれ接着固定されることで高い剛性をもち、その厚さ方向からの外力に対して高い強度性能を発揮する。
【００７７】
上記第３ハニカムコア６３は、上記第２ハニカムコア６２と同様に構造をもつものであって、樹脂材からなる隔壁によって区画された複数のセル６５ａを隙間なく多数連設して相互に接合するとともに、該各セル６５ａをその高さ方向の両端で開口させてなる樹脂ハニカム体６５の表裏両面に薄板状の樹脂板６６，６７を融着または接着により固着して構成される（図１３参照）。そして、この第３ハニカムコア６３は、図１４及び図１６に示すように、上記スロープ体５１の一端部５１ａを形成するものであって、外端側に向かって厚さが漸減しながらやや下方へ湾曲するような断面形状を有している。
【００７８】
上記第４ハニカムコア６４は、上記第２ハニカムコア６２と同様に構造をもつものであって、樹脂材からなる隔壁によって区画された複数のセル６５ａを隙間なく多数連設して相互に接合するとともに、該各セル６５ａをその高さ方向の両端で開口させてなる樹脂ハニカム体６５の表裏両面に薄板状の樹脂板６６，６７を融着または接着により固着して構成される（図１３参照）。そして、この第４ハニカムコア６４は、図１４及び図１６に示すように、上記スロープ体５１の他端部５１ｂを形成するものであって、外端側に向かって厚さが漸減しながらその下面側がやや上方へ湾曲するような断面形状を有している。
【００７９】
「スロープ体５１の形成」
上記スロープ体５１は、図１４〜図６に示すように、上記第１ハニカムコア６１の左右両側にこれと密接状態で上記第２ハニカムコア６２をそれぞれ配置するとともに、該第１ハニカムコア６１と第２ハニカムコア６２の一端面側には上記第３ハニカムコア６３を、他端面側には上記第４ハニカムコア６４を、それぞれ密着状態で配置して略長矩形厚板状の上記芯材６０を形成し、さらに、この芯材６０の表裏状態に上記第１薄板材７１及び第２薄板材７２を接着固定して一体化することで得られる。したがって、このスロープ体５１においては、上記第１ハニカムコア６１は、左右一対の上記第２ハニカムコア６２と第３ハニカムコア６３及び第４ハニカムコア６４の四者によって囲まれた状態となる。
【００８０】
さらに、上記スロープ体５１の両側縁には、脱輪防止壁５８を備えた第１側枠体５６と第２側枠体５７がそれぞれ取り付けられる。
【００８１】
上述のように構成された一対のスロープ体５１（相互に反対勝手に形成される）を、上記第２側枠体５７が備えられた側部同士を対向させて配置し、これら両者間に跨って上記ヒンジ体５４を取り付けることでスロープ装置Ｚが得られる。
【００８２】
「スロープ装置Ｚの作用効果等」
以上のように構成された上記スロープ装置Ｚにおいては、以下のような特有の作用効果が得られる。
【００８３】
上記スロープ装置Ｚにおいては、該スロープ装置Ｚの構成主体たるスロープ体５１を、紙材からなる隔壁によって区画された複数のセル５１ａを備えるとともに該各セル５１ａが高さ方向の両端に開口した厚板状の第１ハニカムコア６１と、上記第１ハニカムコア６１の左右両側縁にそれぞれ配置される第２ハニカムコア６２であって、樹脂材からなる隔壁によって区画された複数のセル６５ａを備えるとともに該各セル６５ａの高さ方向の両端には薄板状の樹脂板６６，６７が融着または接着により固着された第２ハニカムコア６２と、該第２ハニカムコア６２と同一構造を有し上記第１ハニカムコアと第２ハニカムコアの両端面をそれぞれ閉塞するように配置される第３ハニカムコアと第４ハニカムコアを備えてなる芯材６０の表裏両面に繊維強化プラスチック製の薄板材７１，７２をそれぞれ接着固定して構成している。
【００８４】
したがって、このスロープ装置Ｚによれば、上記第１〜第４ハニカムコア６１〜６４からなる上記芯材６０を、上下一対の薄板材７１，７２によって接着固定してこれらを一体化してスロープ体５１を構成したことによる形状効果として、該スロープ体５１の剛性の向上、及び強度性能、特に曲げ強度の向上が図られ、延いては上記スロープ装置Ｚの高強度化が図られ、その使用上の信頼性が向上する。
【００８５】
また、上記スロープ体５１は、その外周縁を構成する上記第２〜第４ハニカムコア６２〜６４が耐水性の高い樹脂材で構成されており、しかも、上記第２〜第４ハニカムコア６２〜６４は、各セル６５ａの高さ方向の両端に薄板状の樹脂板６６，６７が融着または接着により固着され、さらにこの各樹脂板６６，６７の外面に上記薄板１，７２が面接触状態で接着固定された構成であることから、そのシール性は極めて高いものとなっている。
【００８６】
このように、上記第２〜第４ハニカムコア６２〜６４と上記薄板材７１，７２との接着強度及びシール性が極めて高いことから、これら第２〜第４ハニカムコア６２〜６４によってその周縁が囲まれた状態にある上記第１ハニカムコア６１は、これが紙材で構成されていたとしても、該第１ハニカムコア６１がその周囲からの吸湿によって強度低下を招来するということが確実に防止され、該第１ハニカムコア６１が持つ強度及び軽量性という素材特性が維持されることとなり、この結果、耐水性及び耐久性に優れた軽量のスロープ装置Ｚを安価に提供することができる。
【００８７】
また、上述のように、上記第２〜第４ハニカムコア６２〜６４と上記薄板材７１，７２との接着強度及びシール性が極めて高いことから、上記第１ハニカムコア６１の吸湿防止という目的を達成できる範囲内で、上記第１ハニカムコア６１よりも重さが重く且つ高価な上記第２〜第４ハニカムコア６２〜６４の幅寸法を減少させて、上記スロープ体５１の軽量化と低コスト化を図ることができ、延いては上記スロープ装置Ｚの軽量化と低コスト化がさらに促進される。
【産業上の利用可能性】
【００８８】
本願発明のスロープ装置は、段差部の存在する住環境下において、車椅子等の安全走行を実現するなど、バリアフリー対策の一環として利用できるものである。
【符号の説明】
【００８９】
１    ・・スロープ体
２    ・・第１側枠体
３    ・・第２側枠体
４    ・・脱輪防止壁
５    ・・ヒンジ材
１０  ・・ハニカムコア
１１  ・・セル
１２  ・・第１薄板材
１３  ・・第２薄板材
２１  ・・第１端部材
２２  ・・第２端部材
５１  ・・スロープ体
５２，５３  ・・端部材
５４  ・・ヒンジ体
５６  ・・第１側枠体
５７  ・・第２側枠体
５８  ・・脱輪防止壁
６０  ・・芯材
６１  ・・第１ハニカムコア
６２  ・・第２ハニカムコア
６３  ・・第３ハニカムコア
６４  ・・第４ハニカムコア
６５  ・・樹脂ハニカム体
６６、６７  ・・樹脂板
６８  ・・横設材
７１  ・・第１薄板材
７２  ・・第２薄板材
Ｚ  ・・スロープ装置
【図１】
0006384914.tif 000002
【図２】
0006384914.tif 000003
【図３】
0006384914.tif 000004
【図４】
0006384914.tif 000005
【図５】
0006384914.tif 000006
【図６】
0006384914.tif 000007
【図７】
0006384914.tif 000008
【図８】
0006384914.tif 000009
【図９】
0006384914.tif 000010
【図１０】
0006384914.tif 000011
【図１１】
0006384914.tif 000012
【図１２】
0006384914.tif 000013
【図１３】
0006384914.tif 000014
【図１４】
0006384914.tif 000015
【図１５】
0006384914.tif 000016
【図１６】
0006384914.tif 000017